(57)【要約】【課題】狭ピッチでランプが配置される場合であっても、額縁を大きくすることなく、照光面の輝度の差を抑えることができるバックライト装置及び液晶表示装置の提供。【解決手段】液晶パネルを照明するバックライト装置のインバータ基板１２をランプ１０の一方に端部に設置するのではなく、ランプ１０の両端部に分割して設置することにより、ランプ１０が狭ピッチで配列される場合においても、インバータ基板１２のランプ配列方向の寸法増加を抑えて液晶表示装置の狭額縁化を達成することができると共に、複数のランプ１０を２つの組に分けて各々のインバータ基板１２に接続することにより、ランプ１０の輝度の高い部分を均等に配置して照光面の輝度の均一化を図り、表示品位の高い液晶表示装置を実現することができる。【選択図】図４
2004349040.tif 000002
【特許請求の範囲】
【請求項１】
所定の間隔で配列された複数の棒状のランプと、前記ランプに電源を供給する複数のインバータ基板とを少なくとも備えるバックライト装置において、
前記複数のランプの両端側に、前記インバータ基板を各々備え、
前記複数のランプは複数の組に分類され、各々の前記ランプは組毎に割り当てられた前記インバータ基板に接続されることを特徴とするバックライト装置。
【請求項２】
所定の間隔で配列された複数の棒状のランプと、前記ランプに電源を供給する複数のインバータ基板とを少なくとも備えるバックライト装置において、
前記複数のランプの両端側に、前記インバータ基板を各々備え、
前記複数のランプは配列順に交互に異なる組に分類され、各々の前記ランプは組毎に割り当てられた前記インバータ基板に接続されることを特徴とするバックライト装置。
【請求項３】
前記各々のインバータ基板は、前記ランプを挟んで、略対称な位置に配設されていることを特徴とする請求項１又は２に記載のバックライト装置。
【請求項４】
前記各々のインバータ基板に、電源とインバータ制御信号とを入力するためのコネクタを複数備え、
複数の前記コネクタは前記インバータ基板内部で相互に接続され、かつ、前記各々のインバータ基板は前記複数のコネクタの一つを用いてケーブルによって相互に接続されており、
一方の前記インバータ基板の前記コネクタに入力された信号により、他方の前記インバータ基板が同期して動作することを特徴とする請求項１乃至３のいずれか一に記載のバックライト装置。
【請求項５】
前記一方のインバータ基板で生成された同期信号が前記ケーブルを介して前記他方のインバータ基板に送信され、該同期信号により、前記複数のインバータ基板が同期して動作することを特徴とする請求項４記載のバックライト装置。
【請求項６】
前記複数のランプの両端側に、一端が前記ランプの低圧側に接続され、他端が前記インバータ基板に接続されるリターン基板を各々備え、
前記リターン基板の前記他端は、前記ランプを挟んで対向する側の前記インバータ基板のＧＮＤに接続されることを特徴とする請求項１乃至５のいずれか一に記載のバックライト装置。
【請求項７】
前記複数のランプの両端側に、一端が前記ランプの低圧側に接続され、他端が前記インバータ基板に接続されるリターン基板を各々備え、
前記各々のインバータ基板のＧＮＤは相互に接続され、
前記リターン基板の前記他端は、前記ランプに対して同一側の前記インバータ基板のＧＮＤに接続されることを特徴とする請求項１乃至５のいずれか一に記載のバックライト装置。
【請求項８】
前記各々のインバータ基板のＧＮＤは相互に接続され、
前記ランプは、一端が一方の前記インバータ基板に接続され、他端が他方の前記インバータ基板のＧＮＤに接続されることを特徴とする請求項１乃至５のいずれか一に記載のバックライト装置。
【請求項９】
請求項１乃至８のいずれか一に記載のバックライト装置を備え、該バックライト装置の表裏面に液晶パネルが配設され、表裏面の双方に表示面が形成されることを特徴とする液晶表示装置。
【発明の詳細な説明】
【０００１】
【発明の属する技術分野】
本発明は、バックライト装置及び液晶表示装置に関し、特に、表裏両面に表示面を備える両面液晶表示装置に用いて好適なバックライト装置及び液晶表示装置に関する。
【０００２】
【従来の技術】
液晶表示装置は小型、薄型、低消費電力という特質からＯＡ機器やテレビジョンのモニタなどとして広く用いられている。この液晶表示装置は、バックライト光の照射方法によって直下方式（反射板方式）やエッジライト方式（サイドライト方式）、面状光源方式などに分類され、高い輝度を必要とするモニタでは直下方式が主に使用されている。この直下方式の液晶表示装置は、図７に示すように、対向する透明基板間に液晶が狭持されてなる液晶パネル６と、ＴＣＰ８を介して液晶パネル６に接続される基板７と、液晶パネル６を照明するバックライト光を発生するバックライト装置３と、これらを支持する筐体４（シールドフロント）とを主な構成要素としている。
【０００３】
また、バックライト装置３は、図８に示すように、光源となるランプ１０と、ランプ１０に電源を供給するインバータ基板１２やリターン基板１３、それらの基板を接続するリターンケーブル１４等の電源回路部と、ランプ１０を保持するランプ支持台２８と、ランプ１０の光を液晶パネル方向に反射する反射板２９と、ランプ１０の光を均一な照明光とする拡散板１９及び光学シート２０等の光学部材と、筐体（バックライトシャーシ２１）とからなる。そして、図９に示すように、ランプ１０の高圧側はインバータ基板１２に接続され、低圧側はリターン基板１３内でそれぞれ接続され、リターンケーブル１４を通じてインバータ基板１２へ接続されている。このような液晶表示装置の組立構造については、例えば、特開平１４−３１１４１８号公報等に記載されている。
【０００４】
【特許文献１】
特開平１４−３１１４１８号公報（第４−６頁、第２図）
【０００５】
【発明が解決しようとする課題】
直下方式の液晶表示装置１は、ランプ１０を用いて液晶パネル６を裏面から照明し、液晶パネル６を透過する光の量を制御することにより画面を表示するものであるため、ＣＲＴのように画面を明るくするためには、図１０に示すように、狭い照光範囲にランプ１０を狭ピッチで配置する必要がある。
【０００６】
ここで、ランプ１０を駆動するインバータ基板１２には高周波の高電圧を発生させるためにトランスが用いられており、トランスとランプ１０とが離れると伝送経路での損失により電圧が低下し、また、高電圧の配線が引き回されると他の回路要素に影響を与えてしまうため、トランスは極力ランプ１０の近くに配置する必要がある。一方、高電圧を発生させるためにトランスはある程度の大きさが必要であり、トランスの最低ピッチよりランプピッチが小さい場合には次のような問題が発生する。
【０００７】
第１の問題は、狭ピッチでランプ１０を配置するような多灯ランプを使用する場合、縦寸法（ランプ１０の配列方向の寸法）の長いインバータ基板１２が必要になるため、バックライト装置３の縦寸法も大きくなってしまうということである。特に照光面が大きい場合、ランプ１０が長くなるため更に大型のトランスが必要となり、その結果、インバータ基板１２の縦寸法は更に大きくなってしまい、額縁領域を小さくすることができなくなってしまう。
【０００８】
また、第２の問題は、照光面の左右で輝度の差が生じてしまうということである。すなわち、インバータ基板１２により高圧側端子からランプ１０に入力された管電流は、徐々にランプ周辺の寄生容量を通してリークするため、低圧側に近くなるほどランプ１０の輝度が低くなる。従って、図１０に示すようにインバータ基板１２側のランプ１０が明るくなってしまい、液晶パネル６を均一に照明することができず、液晶表示装置１の表示品位を低下させてしまう。そして、液晶表示装置１の大画面化が進むにつれてランプ１０の長さが長くなるため、左右の輝度差は無視できないレベルになってくる。
【０００９】
特に、バックライト装置３の表裏面の両側に表示面を備える両面液晶表示装置の場合には、ランプ１０で両方の表示面を照明しなければならないために、必然的にランプ１０の数も増加するため、上記問題が生じやすい。
【００１０】
本発明は、上記問題点に鑑みてなされたものであって、その主たる目的は、狭ピッチでランプが配置される場合であっても、額縁を大きくすることなく、照光面の輝度の差を抑えることができるバックライト装置及び液晶表示装置を提供することにある。
【００１１】
【課題を解決するための手段】
上記目的を達成するため、本発明のバックライト装置は、所定の間隔で配列された複数の棒状のランプと、前記ランプに電源を供給する複数のインバータ基板とを少なくとも備えるバックライト装置において、前記複数のランプの両端側に、前記インバータ基板を各々備え、前記複数のランプは複数の組に分類され、各々の前記ランプは組毎に割り当てられた前記インバータ基板に接続されるものである。
【００１２】
また、本発明のバックライト装置は、所定の間隔で配列された複数の棒状のランプと、前記ランプに電源を供給する複数のインバータ基板とを少なくとも備えるバックライト装置において、前記複数のランプの両端側に、前記インバータ基板を各々備え、前記複数のランプは配列順に交互に異なる組に分類され、各々の前記ランプは組毎に割り当てられた前記インバータ基板に接続されるものである。
【００１３】
本発明においては、前記各々のインバータ基板は、前記ランプを挟んで、略対称な位置に配設されていることが好ましい。
【００１４】
また、本発明においては、前記各々のインバータ基板に、電源とインバータ制御信号とを入力するためのコネクタを複数備え、複数の前記コネクタは前記インバータ基板内部で相互に接続され、かつ、前記各々のインバータ基板は前記複数のコネクタの一つを用いてケーブルによって相互に接続されており、一方の前記インバータ基板の前記コネクタに入力された信号により、他方の前記インバータ基板が同期して動作する構成とすることができ、前記一方のインバータ基板で生成された同期信号が前記ケーブルを介して前記他方のインバータ基板に送信され、該同期信号により、前記複数のインバータ基板が同期して動作する構成とすることもできる。
【００１５】
また、本発明においては、前記複数のランプの両端側に、一端が前記ランプの低圧側に接続され、他端が前記インバータ基板に接続されるリターン基板を各々備え、前記リターン基板の前記他端は、前記ランプを挟んで対向する側の前記インバータ基板のＧＮＤに接続される構成、又は、前記複数のランプの両端側に、一端が前記ランプの低圧側に接続され、他端が前記インバータ基板に接続されるリターン基板を各々備え、前記各々のインバータ基板のＧＮＤは相互に接続され、前記リターン基板の前記他端は、前記ランプに対して同一側の前記インバータ基板のＧＮＤに接続される構成とすることができる。
【００１６】
また、本発明においては、前記各々のインバータ基板のＧＮＤは相互に接続され、前記ランプは、一端が一方の前記インバータ基板に接続され、他端が他方の前記インバータ基板のＧＮＤに接続される構成とすることもできる。
【００１７】
また、本発明に液晶表示装置は、上記バックライト装置を備え、該バックライト装置の表裏面に液晶パネルが配設され、表裏面の双方に表示面が形成されるものである。
【００１８】
このように、本発明は、液晶パネルを照明するバックライト装置のインバータ基板をランプの一端側に設置するのではなく、ランプの両端側に分割して設置することにより、ランプが狭ピッチで配列される場合においても、インバータ基板のランプ配列方向の寸法増加を抑えて液晶表示装置の狭額縁化を達成すると共に、複数のランプを２つの組に分けて各々のインバータ基板に接続することにより、ランプの輝度の高い部分を均等に配置して照光面の輝度の均一化を図り、表示品位の高い液晶表示装置を実現することができる。
【００１９】
【発明の実施の形態】
従来技術で示したように、ランプを狭ピッチで配置する場合、インバータ基板の縦寸法が長くなってしまい、液晶表示装置の額縁領域が大きくなってしまう。また、一方向からランプに電源を供給する構造では、インバータ基板に近い側の輝度が高くなって照光面の輝度が均一にならず、液晶表示装置の表示品位を低下させてしまうという問題がある。ここで、インバータ基板の縦寸法の増加を抑えるためには、例えば、インバータ基板中のトランスを段違いに配列したり、トランスを積層する方法なども考えられるが、ランプは１０００Ｖ程度の高周波電源で駆動するためにトランスとランプまでの距離が長い部分で電圧のロスが大きくなって電圧が低下してしまい、また、高電圧の配線を引き回すとインバータ基板の制御信号等に影響を与えてしまい、誤動作の原因となる。
【００２０】
そこで、本発明では、インバータ基板をランプの両端側に分割して設けることによりランプとトランスとの距離を一定に保ち、かつ、インバータ基板の縦寸法の増加を抑えている。また、インバータ基板をランプの両端側に設けて複数のランプを各々のインバータ基板に振り分けることにより、ランプの高電圧側が一方向に偏らないようにし、照光面の輝度の均一化を同時に達成している。
【００２１】
なお、インバータ回路を複数設ける構造に関して、例えば、特開平４−８４１２２号公報には、各々がバックライト光源として機能する少なくとも二個のバックライト光源と、バックライト光源の電源を所定時間毎に切り換えて少なくとも一個の光源毎に順次点灯する電源切替部とを備える液晶表示装置が開示されており、公報の図４には２つのインバータ回路が記載されている。しかしながら上記公報は、液晶パネルと、液晶パネルの背面側に配される導光板とを備え、該導光板を介して液晶パネルにバックライトを供給する、いわゆるエッジライト方式（サイドライト方式）と呼ばれる形式の液晶表示装置に関するものであり、少なくとも二個のバックライト光源を切り換えて点灯させることによってバックライト光源の継続使用時間を延長することを目的とするものである。すなわち、上記公報は２組のランプ及びインバータ基板を設けてバックアップとして使用するものであるのに対して、本願発明は複数のランプを２つのインバータ基板を用いて同時に点灯するものである。従って、本願発明の構造によってのみインバータ基板の寸法の増加や照光面の輝度のばらつきを抑制することができる。
【００２２】
【実施例】
上記した本発明の実施の形態についてさらに詳細に説明すべく、本発明の実施例について図面を参照して説明する。なお、以下の実施例では、本発明のバックライト装置を両面液晶表示装置に適用する場合について示すが、本発明は下記実施例に限定されるものではなく、片面のみに表示面を備える通常の液晶表示装置についても同様に適用することができる。
【００２３】
［実施例１］
まず、本発明の第１の実施例に係るバックライト装置について、図１乃至図３を参照して説明する。図１は、両面液晶表示装置の構成を示す分解図であり、図２は、第１の実施例に係るバックライト装置を構成部品毎に分解した斜視図である。また、図３はバックライト装置のランプ及び基板のレイアウトを模式的に示す平面図である。
【００２４】
図１に示すように、本実施例の両面液晶表示装置１は、表面及び裏面の両方向にバックライト光を照射する両面バックライト装置３と、両面バックライト装置３の各々の面に設置される液晶パネル６ａ、６ｂと、各々の液晶パネル６を両面バックライト装置３に保持する筐体（シールドフロント４ａ、４ｂ）とからなる。
【００２５】
また、図２に示すように、バックライト装置３は、液晶表示パネル６を照明するバックライト光の光源となる複数の棒状のランプ１０と、ランプ１０の両端に取り付けられた保持ゴム１１と、ランプ１０に電源を供給するためのインバータ基板１２、リターン基板１３及びそれらを接続するリターンケーブル１４等の回路要素（以下、電源回路部と称する。）と、ランプ１０の両端部を表裏両面から挟み込んでランプ１０を保持するランプ支持枠１６ａ、１６ｂと、ランプ１０の光を拡散する拡散板１９ａ、１９ｂと、拡散した光を均一な照明光とする拡散シートやレンズシートなどからなる光学シート２０ａ、２０ｂと、バックライトの筐体（バックライトシャーシ２１ａ、２１ｂ）とを備えている。
【００２６】
なお、図ではランプ１０及び電源回路部とランプ支持枠１６ａ、１６ｂとでランプセット５が形成され、バックライトの筐体に着脱可能に保持される構造としているが、各構成部材がバックライトシャーシ２１ａ、２１ｂによって一体的に保持される構造としてもよい。また、本発明はバックライト装置３の電源回路部のレイアウトに特徴を有するものであり、液晶パネル６や筐体４などのバックライト装置３以外の液晶表示装置の構成部品の構造は特に限定されない。以下、バックライト装置３の具体的な構造について説明する。
【００２７】
図３に示すように、本実施例のバックライト装置３は、複数のランプ１０の両端側にインバータ基板１２が各々配置され、複数のランプ１０が上側と下側の２つの組に分割され、各々の組のランプ１０が各々のインバータ基板１２に接続されている。また、インバータ基板１２に接続されているランプ１０の反対側（低圧側）の端子はリターン基板１３に接続され、リターンケーブル１４を介して対向する側に配置されたインバータ基板１２のＧＮＤに接地されている。また、２つのインバータ基板１２には、電力を外部から入力する電源コネクタと、インバータの調光、点灯／非点灯、外部ＰＣＭ信号等を入力するためのインバータ制御信号群入力コネクタと、ランプ１０を駆動するランプ駆動回路部１２ａと、インバータ基板１２とランプ１０とを接続する高圧出力コネクタ１５とがそれぞれ設けられている。この２つのインバータ基板１２は左右の各々で異なる構造であってもよいが、左右同一の部材を使用することにより製造コストを低減することができる。
【００２８】
そして、インバータ基板１２は、それぞれに設けられた電源コネクタから電力が供給され、制御信号群入力コネクタからの制御信号によりコントロールされ、使用するランプ本数の半分（図では上側の３つ）を右側に配置したインバータ基板１２により点灯させ、残り半分（図では下側の３つ）を左側に配置したインバータ基板１２により点灯させる。
【００２９】
このように、インバータ基板１２をランプ１０の両端側に配置することにより、狭ピッチでランプ１０を配列する場合であっても、インバータ基板１２の縦寸法の増加を抑えて狭額縁化を達成することができ、また、複数のランプ１０を２つの組に分割して各々のインバータ基板１２に接続することにより、輝度の高い部分を分散させて照光面の輝度の差を抑制することができ、液晶表示装置の表示品位を向上させることができる。
【００３０】
なお、図では、ランプ１０の本数を６本として、３本ずつ左右各々のインバータ基板１２に接続する構造としたが、ランプ１０は複数であればよい。また、左右のインバータ基板１２に振り分けるランプ１０の数は同一であることが好ましいが、例えば、ランプが奇数本の場合には左右のインバータ基板１２の各々に接続されるランプ１０の本数が異なってもよい。また、ランプ１０とインバータ基板１２との間隔が一定であればよく、インバータ基板１２やリターン基板１３の形状や配置は図の構成に限定されない。
【００３１】
［実施例２］
次に、本発明の第２の実施例に係るバックライト装置について、図４を参照して説明する。図４は、第２の実施例に係るバックライト装置のランプ及び基板のレイアウトを模式的に示す平面図である。
【００３２】
前記した第１の実施例では、複数のランプ１０を上下で２つの組に分割して各々の組のランプ１０を各々のインバータ基板１２に接続する構成としたが、この構成では、照光面の上側は右側のインバータ基板１２に接続されているために右側の輝度が高く、照光面の下側は左側のインバータ基板１２に接続されているために左側の輝度が高くなるため、照光面の輝度の差を完全に抑制することはできない。そこで、本実施例では、図４に示すように、複数のランプ１０の両端側にインバータ基板１２を各々配置し、複数のランプ１０を交互に左右のインバータ基板１２に振り分けて接続している。
【００３３】
また、インバータ基板１２に接続されているランプ１０の反対側（低圧側）の端子はリターン基板１３に接続され、同じ側のインバータ基板１２のＧＮＤに接地されている。また、２枚のインバータ基板１２には電力を外部から入力する電源コネクタと、インバータの調光、点灯／非点灯、外部ＰＣＭ信号等を入力するためのインバータ制御信号群入力コネクタと、ランプ駆動回路部１２ａと、高圧出力コネクタ１５とがそれぞれ設けられている。このインバータ基板１２は左右同一の部材を使用することができる。
【００３４】
そして、インバータ基板１２はそれぞれに設けられた電源コネクタから電力が供給され、制御信号群入力コネクタからの制御信号によりコントロールされ、使用するランプ本数の半分を右のインバータ基板１２が駆動し、残り半分を左側に配置したインバータ基板１２が分割して駆動する。
【００３５】
このような構成でも、狭ピッチで多数のランプ１０が設置される場合であっても、インバータ基板１２の縦寸法の増加を抑制して狭額縁化を達成することができ、また、複数のランプ１０を交互に左右のインバータ基板１２に接続することにより、第１の実施例よりも照光面の輝度分布の均一性を高めることができ、液晶表示装置の表示品位を更に向上させることができる。また、リターンケーブル１４の長さを短くすることができるため、リターンケーブル１４を固定する必要がなくなり組み立て性を向上させることができる。
【００３６】
なお、図４では、２つのインバータ基板１２の電源ラインやインバータ制御信号ラインを並列に接続し、リターン基板１３を同じ側に設置されるインバータ基板１２に接続しているが、複数のランプ１０を交互にインバータ基板１２に接続する構造と、図３に示すように電源ラインやインバータ制御信号ラインを別々と設け、インバータ基板１２とリターン基板１３とをリターンケーブル１４で接続する構造とを組み合わせる構成としてもよい。
【００３７】
［実施例３］
次に、本発明の第３の実施例に係るバックライト装置について、図５を参照して説明する。図５は、第３の実施例に係るバックライト装置のランプ及び基板のレイアウトを模式的に示す平面図である。
【００３８】
前記した第１の実施例では、各々のインバータ基板１２に別々に電源及びインバータ制御信号を入力しているため、異なるインバータ基板１２で駆動される相隣り合うランプ１０同士が誘導干渉を起こしてしまい、点灯状態が不安定になってチラツキが生じる。そこで、本実施例では、２つのインバータ基板をバスライン状に接続し、１つのコネクタから電源とインバータ制御信号を入力することにより、誘導干渉を抑制している。
【００３９】
具体的には、図５に示すように、ランプ１０の両端側にインバータ基板１２を各々配置し、複数のランプ１０を交互に左右それぞれのインバータ基板１２に接続する。２枚のインバータ基板１２には外部から電力および調光、点灯／非点灯、外部ＰＣＭ信号等を入力するためのインバータ制御信号群を一括入力できる入力コネクタ２２が各々２箇所設けられており、２箇所の入力コネクタ２２のうちの１つには２つのインバータの電源、制御信号を接続する接続ケーブル２３が接続されている。また、インバータ基板１２に接続されているランプ１０の端子の反対側の端子はリターン基板１３に接続され、リターン基板１３は接続ケーブル２３のＧＮＤ線と接続して接地する。このインバータ基板１２は左右同一の部材を使用することができる。
【００４０】
そして、左右のインバータ基板１２の入力コネクタ２２のうち、空いているいずれかの入力コネクタ２２から外部より電力、制御信号が入力され、インバータ基板１２が動作しランプ１０を駆動させる。接続ケーブル２３が接続されている側の入力コネクタ２２に入力したい場合は接続ケーブル２３を反対側の入力コネクタ２２に接続し２つのインバータ基板１２を連結すればよい。
【００４１】
このような構成では、第１及び第２の実施例の効果に加えて、入力コネクタ２２からのＰＣＭ信号もしくはインバータ基板１２内部で生成した同期信号により左右のインバータ基板１２の出力は同期のとれた波形が出力されるため、相隣り合うランプ１０同士の誘導干渉を抑制することができ、チラツキを抑えて表示品位を向上させることができる。また、２つの入力コネクタ２２がインバータ基板１２内部で接続されており、また２つのインバータ基板１２もバスライン状に接続されているため、一個所からの入力で２つのインバータ基板１２に電力と制御信号を供給することができ、組み立て性を向上させることができる。また、同形インバータ基板と同型の入力コネクタに電力ラインと制御信号ラインがバスライン状に接続されているからである。更に、図５の構造ではリターンケーブルが短くてよいため、固定する必要がなく、リターン基板も使用する必要がないからである。という効果も得られる。
【００４２】
なお、本実施例ではランプ１０を交互に左右のインバータ基板１２に接続する構成としているが、第１の実施例で示したランプ１０の振り分けに対して、本実施例のインバータ基板１２の接続構造を適用することもできる。
【００４３】
［実施例４］
次に、本発明の第４の実施例に係るバックライト装置について、図６を参照して説明する。図６は、第４の実施例に係るバックライト装置のランプ及び基板のレイアウトを模式的に示す平面図である。
【００４４】
前記した第１乃至第３の実施例では、ランプ１０を挟んでインバータ基板１２とリターン基板１３とが組になって設けられているため、各々の側にインバータ基板１２とリターン基板１３とを配置しなければならず、額縁領域を小さくすることができない。そこで、本実施例では、一方のインバータ基板１２に接続されるランプ１０の低圧側を他方のインバータ基板１２のＧＮＤに接地することにより構造の簡略化及び狭額縁化を図っている。
【００４５】
具体的には、ランプの両端側にインバータ基板１２を各々配置し、複数のランプ１０を交互に左右各々のインバータ基板１２に接続する。また、２枚のインバータ基板１２には外部から電力および調光、点灯／非点灯、外部ＰＣＭ信号等を入力するためのインバータ制御信号群を一括入力できる入力コネクタ２２が２箇所設けられており、２箇所のコネクタのうちの１つに、２つのインバータ基板１２の電源、制御信号を接続する接続ケーブル２３が設けられている。インバータ基板１２に接続されているランプ１０の反対側の端子は対向するインバータ基板１２に接続し接地される。このインバータ基板１２は左右同一の部材を使用することができる。
【００４６】
そして、左右のインバータの入力コネクタ２２のうち、空いているいずれかのコネクタから外部より電力、制御信号が入力され、インバータ基板１２が動作しランプ１０を駆動させる。接続ケーブル２３が接続されている側のコネクタに入力したい場合は、接続ケーブル２３を反対側のコネクタに接続し２つのインバータ基板１２を連結すればよい。
【００４７】
このような構成でも、第１及び第２の実施例の効果に加えて、２つのインバータ基板１２は入力コネクタからのＰＣＭ信号もしくはインバータ基板１２内部で生成した同期信号により左右のインバータ基板１２の出力は同期のとれた波形が出力されるため、相隣り合うランプ同士の誘導干渉を抑制することができ、チラツキを抑えて表示品位を向上させることができる。また、２つの入力コネクタ２２がインバータ基板１２内部で接続されており、また２つのインバータ基板１２もバスライン状に接続されているため、一個所からの入力で２つのインバータ基板１２に電力と制御信号を供給することができ、組み立て性を向上させることができる。更に、リターンケーブル１４が短くてよいため固定する必要がなく、リターン基板１３も使用する必要がないため組み立て性を向上させることができると共に、ランプ１０側部の額縁部分を小さくすることができ、第３の実施例よりも更に狭額縁化を達成することができる。
【００４８】
なお、本実施例ではランプ１０を交互に左右のインバータ基板１２に接続する構成としているが、第１の実施例で示したランプ１０の振り分けに対して、本実施例のインバータ基板１２の構造を適用することもできる。
【００４９】
また、上記各実施例では、インバータ基板１２をランプの両端側に計２つ設ける構成としたが、本発明は上記実施例に限定されるものではなく、ランプ１０の両側に１以上のインバータ基板１２を備えていればよく、例えば、両端側に２つずつ計４つのインバータ基板１２を備える構成としてもよい。また、複数のランプ１０の振り分け方法も上記実施例に限定されるものではなく、２つずつ左右のインバータ基板１２に振り分けるなどとすることもできる。
【００５０】
【発明の効果】
以上説明したように、本発明のバックライト装置及び液晶表示装置によれば下記記載の効果を奏する。
【００５１】
本発明の第１の効果は、狭ピッチで多数のランプが配置される構造においても、インバータ基板の縦寸法（ランプの配列方向の寸法）の増加を抑え、狭額縁化を達成することができるということである。
【００５２】
その理由は、インバータ基板を２つに分割してランプの両端側に配置することにより、インバータ基板を小型化することができるからである。
【００５３】
また、本発明の第２の効果は、照光面の左右（ランプの長手方向）の輝度差を小さくすることができるということである。
【００５４】
その理由は、ランプはリークのため高圧側の輝度が高く、低圧側の輝度が低くなるため、ランプの長手方向で輝度差が生じるが、高圧側と低圧側とが交互に配置されるため、輝度の差が相殺しあい均一性を向上させることができるからである。
【００５５】
また、本発明の第３の効果は、ランプ同士の誘導干渉によるチラツキの発生を抑えることができるということである。
【００５６】
その理由は、２つのインバータ基板を接続して同期信号にて駆動することにより、２つのインバータ基板の出力波形の同期が取れているため、ランプ同士の誘導干渉による輝度変化が一定となり、チラツキが発生しないからである。
【００５７】
また、本発明の第４の効果は、組み立て性を向上させ、製造コストを低減することができるということである。
【００５８】
その理由は、図４の構造では、リターンケーブルの長さを短くすることができるためケーブルを固定する必要がなくなるからである。また、図４及び図５の構造では、２つの入力コネクタがインバータ基板内部で接続されており、また２つのインバータ基板もバスライン状に接続されているため、一個所からの入力で２つのインバータ基板に電力と制御信号が供給できるからである。更に、図５の構造ではリターンケーブルが短くてよいため固定する必要がなく、リターン基板も使用する必要がないからである。
【図面の簡単な説明】
【図１】本発明のバックライト装置を組み込んだ両面液晶表示装置の構成を示す組み立て図である。
【図２】本発明のバックライト装置を構成部品毎に分解した組み立て図である。
【図３】本発明の第１の実施例に係るバックライト装置のランプ及び基板のレイアウトを示す平面図である。
【図４】本発明の第２の実施例に係るバックライト装置のランプ及び基板のレイアウトを示す平面図である。
【図５】本発明の第３の実施例に係るバックライト装置のランプ及び基板のレイアウトを示す平面図である。
【図６】本発明の第４の実施例に係るバックライト装置のランプ及び基板のレイアウトを示す平面図である。
【図７】従来の液晶表示装置の構成を示す組み立て図である。
【図８】従来のバックライト装置を構成部品毎に分解した組み立て図である。
【図９】従来のバックライト装置のランプ及び基板のレイアウトを示す平面図である。
【図１０】従来のバックライト装置のランプ及び基板のレイアウトを示す平面図である。
【符号の説明】
１  液晶表示装置
３  バックライト装置
４、４ａ、４ｂ  筐体（シールドフロント）
５  ランプセット
６、６ａ、６ｂ  液晶パネル
７、７ａ、７ｂ  基板
８、８ａ  ＴＣＰ
１０  ランプ
１１  保持ゴム
１２  インバータ基板
１３  リターン基板
１４  リターンケーブル
１５  高圧出力コネクタ
１６、１６ａ、１６ｂ  ランプ支持枠
１７  基板取付部
１９、１９ａ、１９ｂ  拡散板
２０、２０ａ、２０ｂ  光学シート
２１、２１ａ、２１ｂ  バックライトシャーシ
２２  入力コネクタ
２３  接続ケーブル
２８  ランプ支持台
２９  反射板
３０  スペーサ
【図１】
2004349040.tif 000003
【図２】
2004349040.tif 000004
【図３】
2004349040.tif 000005
【図４】
2004349040.tif 000006
【図５】
2004349040.tif 000007
【図６】
2004349040.tif 000008
【図７】
2004349040.tif 000009
【図８】
2004349040.tif 000010
【図９】
2004349040.tif 000011
【図１０】
2004349040.tif 000012